【手続補正書】
【提出日】平成24年10月16日(2012.10.16)
【手続補正１】
【補正対象書類名】明細書
【補正対象項目名】０００８
【補正方法】変更
【補正の内容】
【０００８】
前記課題を解決するため、請求項１記載の発明に係るデジタルカメラにあっては、撮影位置を特定する位置特定情報を撮影時に取得し、取得した位置特定情報を撮影画像と関連付けて記録媒体に記録するデジタルカメラにおいて、複数の衛星から送られてくる電波を受信し、電波の受信位置を計算する測位手段とこの測位手段から、撮影時における電波の受信位置を示す位置情報、又は当該位置情報の計算に必要な受信位置の反映された特定の測位情報のいずれか一方を前記位置特定情報として取得する情報取得手段と、この情報取得手段により取得された位置特定情報の種類を確認する確認手段と、撮影者に対し情報を表示する表示手段と、この表示手段に、前記確認手段により確認された位置特定情報の種類に対応して予め用意された複数のメッセージのうちのいずれかを選択的に表示させる表示制御手段とを備えたことを特徴とする。
【手続補正２】
【補正対象書類名】明細書
【補正対象項目名】０００９
【補正方法】変更
【補正の内容】
【０００９】
また、請求項２記載の発明に係るデジタルカメラにあっては、前記表示制御手段は、前記複数のメッセージのうちのいずれかを撮影直後に選択的に表示させることを特徴とする。
また、請求項３記載の発明に係るデジタルカメラにあっては、前記位置特定情報の種類に対応するメッセージには、位置特定情報の精度が含まれることを特徴とする。
【手続補正３】
【補正対象書類名】明細書
【補正対象項目名】００１０
【補正方法】変更
【補正の内容】
【００１０】
また、請求項４記載の発明に係るデジタルカメラにあっては、前記位置特定情報の種類に対応するメッセージには、前記位置特定情報の種類に応じた撮影後の対応に関するアドバイスが含まれることを特徴とする。
【手続補正４】
【補正対象書類名】明細書
【補正対象項目名】００１１
【補正方法】変更
【補正の内容】
【００１１】
また、請求項５記載の発明に係るデジタルカメラにあっては、前記測位手段により位置特定情報として前記位置情報が取得できた時点で、前記測位手段に、決められた期間内に撮影された撮影画像と関連付けて前記記録媒体に記録されている測位情報に基づいて、当該測位情報が関連付けられている撮影画像の撮影時における過去の撮影位置を示す前記位置情報を計算させる計算制御手段と、この計算制御手段が測位手段に計算させた位置情報を、当該位置情報の計算に使用された元の測位情報に代えて前記記録媒体に記録する位置確定手段とを備えたことを特徴とする。
【手続補正５】
【補正対象書類名】明細書
【補正対象項目名】００１２
【補正方法】変更
【補正の内容】
【００１２】
また、請求項６記載の発明に係るデジタルカメラにあっては、撮影時に前記測位手段により位置特定情報が取得されていない場合、過去に撮影された特定の撮影画像に関連付けて記録媒体に記録されている位置特定情報を、新たに撮影された撮影画像に関連付けて記録媒体に記録する記録制御手段を備えたことを特徴とする。
【手続補正６】
【補正対象書類名】明細書
【補正対象項目名】００１３
【補正方法】変更
【補正の内容】
【００１３】
また、請求項７記載の発明に係るデジタルカメラにあっては、撮影時に前記測位手段により位置特定情報として高精度の前記位置情報が取得された場合、過去に撮影された特定の撮影画像に関連付けて記録媒体に記録されている高精度の前記位置情報以外の位置特定情報を、撮影時に取得された高精度の前記位置情報に修正する修正手段を備えたことを特徴とする。
【手続補正７】
【補正対象書類名】明細書
【補正対象項目名】００１４
【補正方法】変更
【補正の内容】
【００１４】
また、請求項８記載の発明に係るメッセージ表示方法にあっては、撮影位置を特定する位置特定情報を撮影時に取得し、取得した位置特定情報を撮影画像と関連付けて記録媒体に記録するデジタルカメラにおいて、複数の衛星から送られてくる電波を受信し、電波の受信位置を計算する測位手段から、撮影時における電波の受信位置を示す位置情報、又は当該位置情報の計算に必要な受信位置の反映された特定の測位情報のいずれか一方を前記位置特定情報として取得する工程と、取得した位置特定情報の内容を確認する工程と、確認した位置特定情報の種類に対応して予め用意された複数のメッセージのうちのいずれかを、撮影者に対し情報を表示する表示手段に撮影直後に選択的に表示させる工程とを含むことを特徴とする。
【手続補正８】
【補正対象書類名】明細書
【補正対象項目名】００１５
【補正方法】変更
【補正の内容】
【００１５】
また、請求項９記載の発明に係るプログラムにあっては、撮影位置を特定する位置特定情報を撮影時に取得し、取得した位置特定情報を撮影画像と関連付けて記録媒体に記録するデジタルカメラが有するコンピュータを、複数の衛星から送られてくる電波を受信し、電波の受信位置を計算する測位手段から、撮影時における電波の受信位置を示す位置情報、又は当該位置情報の計算に必要な受信位置の反映された特定の測位情報のいずれか一方を前記位置特定情報として取得する情報取得手段と、この情報取得手段により取得された位置特定情報の種類を確認する確認手段と、撮影者に対し情報を表示する表示手段に、前記確認手段により確認された位置特定情報の種類に対応して予め用意された複数のメッセージのうちのいずれかを撮影直後に選択的に表示させる表示制御手段として機能させることを特徴とする。
【手続補正９】
【補正対象書類名】特許請求の範囲
【補正対象項目名】全文
【補正方法】変更
【補正の内容】
【特許請求の範囲】
【請求項１】
撮影位置を特定する位置特定情報を撮影時に取得し、取得した位置特定情報を撮影画像と関連付けて記録媒体に記録するデジタルカメラにおいて、
複数の衛星から送られてくる電波を受信し、電波の受信位置を計算する測位手段と、
この測位手段から、撮影時における電波の受信位置を示す位置情報、又は当該位置情報の計算に必要な受信位置の反映された特定の測位情報のいずれか一方を前記位置特定情報として取得する情報取得手段と、
この情報取得手段により取得された位置特定情報の種類を確認する確認手段と、
撮影者に対し情報を表示する表示手段と、
この表示手段に、前記確認手段により確認された位置特定情報の種類に対応して予め用意された複数のメッセージのうちのいずれかを選択的に表示させる表示制御手段と
を備えたことを特徴とするデジタルカメラ。
【請求項２】
前記表示制御手段は、前記複数のメッセージのうちのいずれかを撮影直後に選択的に表示させることを特徴とする請求項１記載のデジタルカメラ。
【請求項３】
前記位置特定情報の種類に対応するメッセージには、位置特定情報の精度が含まれることを特徴とする請求項１または２に記載のデジタルカメラ。
【請求項４】
前記位置特定情報の種類に対応するメッセージには、前記位置特定情報の種類に応じた撮影後の対応に関するアドバイスが含まれることを特徴とする請求項１乃至３いずれか記載のデジタルカメラ。
【請求項５】
前記測位手段により位置特定情報として前記位置情報が取得できた時点で、前記測位手段に、決められた期間内に撮影された撮影画像と関連付けて前記記録媒体に記録されている測位情報に基づいて、当該測位情報が関連付けられている撮影画像の撮影時における過去の撮影位置を示す前記位置情報を計算させる計算制御手段と、
この計算制御手段が測位手段に計算させた位置情報を、当該位置情報の計算に使用された元の測位情報に代えて前記記録媒体に記録する位置確定手段と
を備えたことを特徴とする請求項１乃至４いずれか記載のデジタルカメラ。
【請求項６】
撮影時に前記測位手段により位置特定情報が取得されていない場合、過去に撮影された特定の撮影画像に関連付けて記録媒体に記録されている位置特定情報を、新たに撮影された撮影画像に関連付けて記録媒体に記録する記録制御手段を備えたことを特徴とする請求項１乃至５いずれか記載のデジタルカメラ。
【請求項７】
撮影時に前記測位手段により位置特定情報として高精度の前記位置情報が取得された場合、過去に撮影された特定の撮影画像に関連付けて記録媒体に記録されている高精度の前記位置情報以外の位置特定情報を、撮影時に取得された高精度の前記位置情報に修正する修正手段を備えたことを特徴とする請求項１乃至６いずれか記載のデジタルカメラ。
【請求項８】
撮影位置を特定する位置特定情報を撮影時に取得し、取得した位置特定情報を撮影画像と関連付けて記録媒体に記録するデジタルカメラにおいて、
複数の衛星から送られてくる電波を受信し、電波の受信位置を計算する測位手段から、撮影時における電波の受信位置を示す位置情報、又は当該位置情報の計算に必要な受信位置の反映された特定の測位情報のいずれか一方を前記位置特定情報として取得する工程と、
取得した位置特定情報の内容を確認する工程と、
確認した位置特定情報の種類に対応して予め用意された複数のメッセージのうちのいずれかを、撮影者に対し情報を表示する表示手段に選択的に表示させる工程と
を含むことを特徴とするメッセージ表示方法。
【請求項９】
撮影位置を特定する位置特定情報を撮影時に取得し、取得した位置特定情報を撮影画像と関連付けて記録媒体に記録するデジタルカメラが有するコンピュータを、
複数の衛星から送られてくる電波を受信し、電波の受信位置を計算する測位手段から、撮影時における電波の受信位置を示す位置情報、又は当該位置情報の計算に必要な受信位置の反映された特定の測位情報のいずれか一方を前記位置特定情報として取得する情報取得手段と、
この情報取得手段により取得された位置特定情報の種類を確認する確認手段と、
撮影者に対し情報を表示する表示手段に、前記確認手段により確認された位置特定情報の種類に対応して予め用意された複数のメッセージのうちのいずれかを選択的に表示させる表示制御手段と
して機能させることを特徴とするプログラム。